【手続補正書】
【提出日】平成18年5月1日(2006.5.1)
【手続補正１】
【補正対象書類名】特許請求の範囲
【補正対象項目名】請求項８
【補正方法】変更
【補正の内容】
【請求項８】
インターネットと直接的にまたは間接的に接続されるインターネット接続部を利用して、複数の通信部が前記インターネットを介して通信を行えるようにするインターネット通信ステップと、
前記通信部とリンクする機能を有する、前記インターネット接続部と第１の伝送媒体によって接続されるメディア変換部を利用して、前記第１の伝送媒体からの信号を第２の伝送媒体への信号に変換し、前記第２の伝送媒体からの信号を前記第１の伝送媒体への信号に変換する信号変換ステップと、
前記メディア変換部及び複数の前記通信部とそれぞれ前記第２の伝送媒体によって接続される信号分配部を利用して、前記メディア変換部からの信号を分配して前記通信部へ伝達し、前記通信部からの信号を前記メディア変換部へ伝達する信号伝達ステップとを備えた、伝送方法。
【手続補正２】
【補正対象書類名】特許請求の範囲
【補正対象項目名】請求項９
【補正方法】変更
【補正の内容】
【請求項９】
請求項８記載の伝送方法の、インターネットと直接的にまたは間接的に接続されるインターネット接続部を利用して、複数の通信部が前記インターネットを介して通信を行えるようにするインターネット通信ステップと、前記通信部とリンクする機能を有する、前記インターネット接続部と第１の伝送媒体によって接続されるメディア変換部を利用して、前記第１の伝送媒体からの信号を第２の伝送媒体への信号に変換し、前記第２の伝送媒体からの信号を前記第１の伝送媒体への信号に変換する信号変換ステップと、前記メディア変換部及び複数の前記通信部とそれぞれ前記第２の伝送媒体によって接続される信号分配部を利用して、前記メディア変換部からの信号を分配して前記通信部へ伝達し、前記通信部からの信号を前記メディア変換部へ伝達する信号伝達ステップとをコンピュータに実行させるための、プログラム。
【手続補正３】
【補正対象書類名】明細書
【補正対象項目名】０００５
【補正方法】変更
【補正の内容】
【０００５】
この改善策として特許文献１においては、端末間の通信を、折り返し部を用いて実現しようとしている。折り返し部で折り返される信号は、上り信号と周波数以外の物理層やＭＡＣ層を共通とすることにより、折り返し部は、バンドパスフィルタと周波数変換部などの簡素な構成で実現されている。
【特許文献１】特開２０００−２６１７８２号公報
【手続補正４】
【補正対象書類名】明細書
【補正対象項目名】００１６
【補正方法】変更
【補正の内容】
【００１６】
第８の本発明は、インターネットと直接的にまたは間接的に接続されるインターネット接続部を利用して、複数の通信部が前記インターネットを介して通信を行えるようにするインターネット通信ステップと、
前記通信部とリンクする機能を有する、前記インターネット接続部と第１の伝送媒体によって接続されるメディア変換部を利用して、前記第１の伝送媒体からの信号を第２の伝送媒体への信号に変換し、前記第２の伝送媒体からの信号を前記第１の伝送媒体への信号に変換する信号変換ステップと、
前記メディア変換部及び複数の前記通信部とそれぞれ前記第２の伝送媒体によって接続される信号分配部を利用して、前記メディア変換部からの信号を分配して前記通信部へ伝達し、前記通信部からの信号を前記メディア変換部へ伝達する信号伝達ステップとを備えた、伝送方法である。
【手続補正５】
【補正対象書類名】明細書
【補正対象項目名】００１７
【補正方法】変更
【補正の内容】
【００１７】
第９の本発明は、第８の本発明の伝送方法の、インターネットと直接的にまたは間接的に接続されるインターネット接続部を利用して、複数の通信部が前記インターネットを介して通信を行えるようにするインターネット通信ステップと、前記通信部とリンクする機能を有する、前記インターネット接続部と第１の伝送媒体によって接続されるメディア変換部を利用して、前記第１の伝送媒体からの信号を第２の伝送媒体への信号に変換し、前記第２の伝送媒体からの信号を前記第１の伝送媒体への信号に変換する信号変換ステップと、前記メディア変換部及び複数の前記通信部とそれぞれ前記第２の伝送媒体によって接続される信号分配部を利用して、前記メディア変換部からの信号を分配して前記通信部へ伝達し、前記通信部からの信号を前記メディア変換部へ伝達する信号伝達ステップとをコンピュータに実行させるための、プログラムである。
【手続補正６】
【補正対象書類名】明細書
【補正対象項目名】００２６
【補正方法】変更
【補正の内容】
【００２６】
同軸ケーブル１０２は、加入者宅（ユーザＡ宅３０ａ、ユーザＢ宅３０ｂ、ユーザＣ宅など）に敷設されており、電気信号を伝送するケーブルである。
【手続補正７】
【補正対象書類名】明細書
【補正対象項目名】００５１
【補正方法】変更
【補正の内容】
【００５１】
通信部３１がインターネットへアクセスするときは、同軸ケーブル１０２を媒体として信号分配部２２を介してメディア変換部２１とリンクする。すなわち、通信部３１は、メディア変換部２１と同軸ケーブル１０２を介してどのように電気信号を伝送するかのルールを共有した状態になる。このルールとしては、通信部３１とメディア変換部２１とで、電気信号を送受信する際の周波数帯域や、電気信号を伝送するタイミングを決定するクロック信号を共有した状態になる。また、通信部３１とメディア変換部２１で共通に認識できる、同軸ケーブル１０２を媒体とするＭＡＣアドレスによって通信相手のノード（ＰＣ３２ａ、３２ｂ、３２ｃなど）を指定できる状態になる。通信部３１とメディア変換部２１とのリンクによって、通信部３１とメディア変換部２１との通信が可能になる。
【手続補正８】
【補正対象書類名】明細書
【補正対象項目名】００７９
【補正方法】変更
【補正の内容】
【００７９】
通信部３１（通信部３１ａ、３１ｂ、３１ｃなどのいずれかの通信部）は、信号分配部２２から同軸ケーブル１０２を介して伝送されてくるフレーム９０を受信する。すなわち、通信部３１の送受信部５１は、信号分配部２２から同軸ケーブル１０２を介して伝送されてくるフレーム９０を受信し、電気信号からデータに変換する。そして、フレーム９０の転送先ＭＡＣアドレス９２が自己ＭＡＣアドレス格納手段５３に格納されているＰＣ３２自らのＭＡＣアドレスと一致する場合には、ＰＣ用インターフェース５２に出力する。
【手続補正９】
【補正対象書類名】明細書
【補正対象項目名】００８０
【補正方法】変更
【補正の内容】
【００８０】
ＰＣ用インターフェース５２は、フレーム９０からＩＰパケット９５を復元し、ＰＣ３２ｂに出力する。
【手続補正１０】
【補正対象書類名】明細書
【補正対象項目名】００８１
【補正方法】変更
【補正の内容】
【００８１】
ＰＣ３２ｂは、ＩＰパケット９５を受信するとデータに復元してＣＰＵ６２に転送する。
【手続補正１１】
【補正対象書類名】明細書
【補正対象項目名】０１１０
【補正方法】変更
【補正の内容】
【０１１０】
より具体的には、メディア変換部２１は、インターネット接続部１１が通信部３１ａ、３１ｂ、３１ｃの全部または一部とリンクすることが不可能になった場合に、インターネット接続部１１がメディア変換部２１にリンクが不可能になった警告を発し、この警告を受けると、メディア変換部２１が、ＰＣ３２ａとＰＣ３２ｂとの通信で説明した動作を取るようにしても構わない。
【手続補正１２】
【補正対象書類名】明細書
【補正対象項目名】０１１１
【補正方法】変更
【補正の内容】
【０１１１】
すなわち、インターネット接続部１１が通信部３１ａ、３１ｂ、３１ｃとリンクしている場合は、メディア変換部２１のフレーム制御手段４３は、光信号送受信部４１からのフレームを単純に電気信号送受信部４４に転送し、電気信号送受信部４４からのフレームを単純に光信号送受信部４１に転送する。そして、インターネット接続部１１がメディア変換部２１にリンクが不可能になった警告を発した場合、メディア変換部２１は、この警告を受けると、メディア変換部２１が、ＰＣ３２ａとＰＣ３２ｂとの通信で説明した上記動作を取るようにしても構わない。
【手続補正１３】
【補正対象書類名】明細書
【補正対象項目名】０１２９
【補正方法】変更
【補正の内容】
【０１２９】
１１    インターネット接続部
２１    メディア変換部
２２    信号分配部
３１ａ  通信部
３１ｂ  通信部
３１ｃ  通信部
３２ａ  ＰＣ
３２ｂ  ＰＣ
４１  光信号送受信部
４３  フレーム制御手段
４４  電気信号送受信部
４６  ＭＡＣアドレス格納手段
５１  送受信部
５２  ＰＣ用インターフェース
５３  自己ＭＡＣアドレス格納手段
５４  対応表格納手段
６１  通信用インターフェース
６２  ＣＰＵ
６３  メモリ
７１  ＭＡＣアドレス
８１  対応表
９０  フレーム
９１  フレームヘッダ
９２  転送先ＭＡＣアドレス
９３  転送元ＭＡＣアドレス
９４  フレームデータ
９５  ＩＰパケット
９６  ＩＰヘッダ
９７  転送先ＩＰアドレス
９８  転送元ＩＰアドレス
１０１  光ファイバケーブル
１０２  同軸ケーブル